(57)【要約】【課題】  装置本体に対してケーブルは着脱可能であって、ケーブルが装置本体の側に接続されている際に前記ケーブルに引っ張りの力が加わった際に前記ケーブルをは装置本体から外れないように接続の状態を保持し得るケーブルホルダにおいて、構成が単純であることから製造が簡便であり、且つ、ケーブルへ装着及び装着解除を簡便することを目的とする。【解決手段】  ケーブル６が挿通させ得るスリット５を保持板部２に開設し、保持板部２の両端にラチェット爪１１，１２をそれぞれ対応して備えた係止部３，４を配設し、スリット５にケーブル６を挿通させた状態で係止部３，４を装置本体９の側に開設した係止用通孔１３，１４に挿入して係止させ得る構成とした。【選択図】  図３
2009093950.tif 000002
【特許請求の範囲】
【請求項１】
ケーブルの少なくとも一方の端部に第一の接続用端子が配設され、その第一の接続用端子と接続し合う第二の接続用端子が備えられている装置本体に係止する係止部と、前記ケーブルが挿通し得るように形成された切り込み又は／及びスリットが、ほぼ板形状の部材に設けられ、
上記係止部が上記装置本体に係止されている際に、上記第一の接続用端子に上記第二の接続用端子から接続を解除する力が作用すると、上記第一の接続用端子が上記切り込み又は／及びスリットを形成する部分から抜け止めの応力を受けて、上記第一の接続用端子と上記第二の接続用端子との接続状態が保持されるように機能する構成のケーブルホルダ。
【請求項２】
上記切り込み又は／及びスリットであってケーブルが挿通する部位に、前記ケーブルの伸長方向と直行する方向の断面とほぼ同じ形状でほぼ同じ大きさの通孔が形成されてなる請求項１に記載のケーブルホルダ。
【請求項３】
上記係止部が、係止対象の装置本体に開設した係止用通孔と共働してラチェット機構を構成するラチェット爪を備えてなる請求項１又は請求項２に記載のケーブルホルダ。
【発明の詳細な説明】
【技術分野】
【０００１】
この発明は、ケーブルの一方の端部に第一の接続用端子が配設され、オーディオ装置、コンピュータ、測定装置等の装置本体の側に前記第一の接続用端子と接続する第二の接続用端子が設けられ、それら第一の接続用端子と第二の接続用端子が所定の差し込み状態で接続している際に、その状態を保持するケーブルホルダに関する。
特に、この発明は、構造の簡単であることから、製造及び取り扱いが簡便であるケーブルホルダの改良に関する。
【背景技術】
【０００２】
ケーブルが装置本体と外部を接続する構成、つまり、例えば、電源用ケーブルが装置本体の電源部等に半田付けによって接続され、家庭電源から電力を装置本体に供給すると言った場合には、前記電源用ケーブルに余程大きな引っ張りの力を与えない限り、前記装置本体から切れて接続状態が解除になることはない。
尚、ケーブルが装置本体側から切断されて接続状態が解除されると、当然、破損であるから使用には修理が必要になる。
【０００３】
しかし、斯かるケーブルと装置本体側が接続された構成では、装置本体の組み立て、装置の梱包、装置の展示等においては、装置本体とケーブは常に一体になっていてケーブルの取り扱いが煩雑になり、装置本体とケーブルを別体とした構成の方が取り扱いが簡便であることが多い。
このことに対して、装置本体のケーシング及びケーブルの一端にそれぞれ接続端子を備え、所望によって、それら二つの接続端を、例えば嵌合及び嵌合解除等によって、簡便にケーブルを装置本体側に接続したり接続解除したりすることが可能になる。
【０００４】
しかしながら、このような装置本体とケーブルの接続と接続解除が簡便に行い得る構成では、例えば、ケーブルに外部から予想外の引っ張りの力が加わるとケーブルの接続端子であるプラグが装置本体側の接続端子であるコンセントから容易に外れ、ケーブルの接続状態が解除されてしまうという問題があった。
このケーブルの側のプラグが装置本体の側のコンセントからさほど大きくない引っ張り力が不用意に働き、プラグがコンセントから容易に外れることを回避させる発明として以下の文献が知られている。
【０００５】
【特許文献１】特開２００２−３３５６２０号公報
【発明の開示】
【発明が解決しようとする課題】
【０００６】
特許文献１には、電源ケーブル２５をホールドする把持部１１にバンド５を取り付け、バンド５の先端部の固定部７をパソコンＰＣの筐体に穿設した矩形の孔に弾性嵌合する構成の発明が開示されている。
斯かる構成の発明では、電源ケーブル２５に強い引っ張りの力が作用すると、電源ケーブル２５への引っ張りの力がプラグ２３に伝わり、電源コネクタ２１から抜ける力として作用するが、ＰＣ側に固定部７が固定されているバンド５が把持部１１と一体化し、把持部１１が電源ケーブル２５を把持しているので、前記の引っ張りの力はバンド５に伝えられるが、バンド５が固定部７でＰＣの側と把持部１１で電源ケーブル２５の側に固定されているので、結果的に、プラグ２３が電源コネクタ２１から抜けてしまうという事態は生じることがない。
【０００７】
しかし、特許文献１で開示の発明は、構成が複雑であってその分製造が煩雑であるという問題があった。
又、特許文献１で開示の発明は、把持部１１を電源ケーブル２５への装着と装着解除を簡便に行うことが出来ないという問題があった。このため、例えば、電源ケーブルをパソコンの側に接続したり接続を解除する等の場合には、電源コードの交換を簡便に行うことができないという問題があった。つまり、簡便に使用することができなかった。
【０００８】
この発明は、上記の事情に鑑みてなされたものであり、ケーブルが装置本体に対して接続解除が可能であって、ケーブルが装置本体の側に接続されている際に当該ケーブルに引っ張りの力が加わっても当該ケーブルは装置本体から外れないように接続の状態を保持し得るケーブルホルダであって、且つ、構成が単純であることから製造が簡便であり、更に、ケーブルへ装着及び装着解除が簡便であるケーブルホルダを提供するものである。
【課題を解決するための手段】
【０００９】
この発明は、接続対象の側の装置本体に係止し得、且つ、ケーブルに配設された接続用端子を保持し得る切り込み又は／及びスリットを備えてなるケーブルホルダである。
その詳細な構成は、ケーブルの少なくとも一方の端部に第一の接続用端子が配設され、その第一の接続用端子と接続し合う第二の接続用端子が備えられている装置本体に係止する係止部と、前記ケーブルが挿通し得るように形成された切り込み又は／及びスリットが、ほぼ板形状の部材に設けられ、
上記係止部が上記装置本体に係止されている際に、上記第一の接続用端子に上記第二の接続用端子から接続を解除する力が作用すると、上記第一の接続用端子が上記切り込み又は／及びスリットを形成する部分から抜け止めの応力を受けて、上記第一の接続用端子と上記第二の接続用端子との接続状態が保持されるように機能する構成のケーブルホルダである。
【００１０】
ここで、上記切り込み又は／及びスリットであってケーブルが挿通する部位に、前記ケーブル伸長方向と直行する方向の断面とほぼ同じ形状で且つ同じ大きさの通孔が形成されてなるケーブルホルダが挙げられる。
斯かる構成のケーブルホルダは、保持の対象のケーブルに挟持の力を与えないので、ケーブルの外皮に材料疲労を与え難くい。
【００１１】
上記切り込み及びスリットの形状として、具体的に、直線一文字形、曲線一文字形、直線十文字形、曲線十文字形、直線放射形、曲線放射形が挙げられる。
他方、ケーブルホルダの係止部は、具体的に、装置本体に開設された係止用通孔に挿通されると、その係止用通孔の内側壁と共働してラチェット機構を構成するラチェット爪を備えたものが挙げられる。
【００１２】
更に、ケーブルホルダの係止部のラチェット爪は、ほぼ板形状の係止部本体の互いに背向する面であって、且つ、装置本体に開設された係止用通孔に挿通されてラチェット機能を奏する際にその位置が互いに異なるようにズラして配設される二列一組のラチェット爪から構成されるのが挙げられる。
斯かる構成のラチェット機構では、そのラチェット機構が機能する位置を細かく設定することが可能になる。又、係止部に備えられるラチェット爪が一列の場合ではラチェット爪が配設された背面側を前記係止用通孔に強く押圧すると、ラチェット機構が解除され或いはラチェット機構が作用せずケーブルホルダが装置本体との係止が解除され易いという虞があるが、二列一組のラチェット爪が互いに背向の位置にあって且つ前記係止用通孔の挿通方向の配設位置にズレがある構成では前記の虞は生じ難くなっている。
【発明の効果】
【００１３】
この発明は、ケーブルが挿通し得る切り込み又は／及びスリットと、ケーブルが接続される装置本体に係止する係止部を備えて構成したことから、ケーブルが装置本体に対して接続されている際に当該ケーブルに引っ張りの力が加わっても当該ケーブルは装置本体から外れないように接続の状態を保持し得、且つ、構成が単純であることから製造が簡便であってコストダウンが得られ、更に、ケーブルへの装着及びケーブルからの装着解除を簡便に行い得るケーブルホルダである。
【発明を実施するための最良の形態】
【００１４】
以下、この発明を、図面に基づき、実施する最良の形態を説明する。しかし、この形態によってこの発明が限定されるものではない。
ケーブルホルダ１は、図１に示すように、細長い板形状の保持板部２と、その両端に位置する係止部３，４が備えられている。
【００１５】
ケーブルホルダ１は、例えば、ポリ塩化ビニル樹脂、ナイロン樹脂といった合成樹脂で成形されており、折曲が可能で且つ元の形状に復帰する性質を持つと共に、絶縁性を有している。
保持板部２には、その長手方向に伸長するスリット５と、ほぼ中央に挿通対象のケーブル６の伸長方向と垂直方向の断面形状とほぼ同じ形状で且つほぼ同じ大きさの通孔７が、それぞれ開設されている。
【００１６】
尚、ケーブル６の端部には接続用端子であるプラグ８が接続固定されている。プラグ８は、装置本体９の側の接続用端子であるコネクタ１０と嵌合によって接続し、取り外すことによって接続解除が可能な構成となっている。
ここで、スリット５は、保持板部２を変形して大きく開口の状態にすると、プラグ８を通過させ得るだけの大きさに形成されている。
【００１７】
係止部３，４は、保持板部２の伸長方向と同じ方向に伸長し、その伸長の方向に並ぶ複数のラチェット爪１１，１２がそれぞれ備えられている。
尚、ラチェット爪１１，１２はそれぞれ、装置本体９のコネクタ１０を挟んで開設された係止用で矩形状の係止用通孔１３，１４とラチェット機構を構成するものである。
【００１８】
ケーブルホルダ１は、上述したように構成されている。以下において、ケーブルホルダ１の使用を説明する。
ケーブルホルダ１の保持板部２を曲げてスリット５を拡げ、その拡げたスリット５からプラグ８を通し、更に、ケーブル６を通孔７に挿通させた状態にする。
【００１９】
ここで、作業者は、ケーブル６の先端に配設されているプラグ８を装置本体９の側に設けられているコネクタ１０に対向させ、プラグ８をコネクタ１０に嵌合することによってプラグ８とコネクタ１０を接続の状態にする。
続いて、係止部３を装置本体９に開設の係止用通孔１３に、係止部４を装置本体９に開設の係止用通孔１４にそれぞれ位置させてから、係止部３を係止用通孔１３に、係止部４を係止用通孔１４にそれぞれ同じ寸法だけ挿入する。
【００２０】
この時、係止部３のラチェット爪１１と係止用通孔１３を形成している部位の装置本体９の内側壁（図示省略）はラチェット機構が構成され、係止部４のラチェット爪１２と係止用通孔１４を形成している部位の装置本体９の内側壁（図示省略）はラチェット機構が構成されている。
従って、装置本体９を移動させたりユーザーがケーブル６に足を引っ掛けるなどして不用意にケーブル６に引っ張りの力が作用した場合には、ケーブル６は装置本体９から離隔しようとしてケーブル６の端部に配設のプラグ８がコネクタ１０から嵌合解除して外れようとする。
【００２１】
ここで、プラグ８が装置本体９の側から離隔しようとすると、その離隔しようとプラグ８に作用する力はケーブルホルダ１に伝わる。
しかしながら、ケーブルホルダ１は、両端の係止部３，４がそれぞれ装置本体９の係止用通孔１３，１４に係止していて係止部３，４が係止用通孔１３，１４から離脱することがないから、ケーブルホルダ１はプラグ８に対して応力を与えることになり、結果的に、プラグ８がコネクタ１０から嵌合解除されることはない。
【００２２】
従って、プラグ８はコネクタ１０との接続状態が保持されるので、ケーブル６が装置本体９から外れて装置本体９の機能が不用意に停止したり、ケーブル６が複数の場合であって且つ複数のケーブル６が装置本体９から外れた場合に、接続すべきプラグ８とコネクタ１０の組み合わせが分からなくなるといった問題は生じない。
又、ケーブルホルダ１は、上述したように、板形状の部材に保持板部２、係止部３，４、スリット５、通孔７及びラチェット爪１１，１２を一体的に設けただけの単純な構成であることより、製造及び組み立てが簡便であり、その分、コストダウンを図ることが可能である。
【００２３】
次に、ケーブル６を装置本体９から取り外す場合には、ユーザーはケーブルホルダ１の係止部３，４をそれぞれに設けられているラチェット爪１１，１２に対して背面の方向に押圧することによって、ラチェット爪１１，１２と係止用通孔１３，１４からなるラチェット機構を解除して係止を解き、係止部３，４を係止用通孔１３，１４から抜き取る。
ここで、ユーザーは、ケーブル６の側のプラグ８を装置本体９の側のコネクタ１０から抜き取り、ケーブル６を装置本体９から取り外す。よって、ユーザーは、ケーブル３と装置本体９を別体として取り扱うことが可能になる。
【００２４】
更に、ユーザは、ケーブルホルダ１の保持板部２を曲げてスリット５を大きく開口となる状態にし、その状態の開口からプラグ８を通過させることで、ケーブルホルダ１をケーブル６から取り外すことが可能である。
上述したように、ケーブルホルダ１のケーブル６への取り付け（装着）及び取り付けの解除は、単に、スリット５を大きな開口の状態にしてプラグ８を通過させることによってのみ行うことから、極めて簡便に行うことが可能である。
【００２５】
他方、ケーブルホルダ１の装置本体９への係止は、ケーブルホルダ１の係止部３，４をそれぞれ係止用通孔１３，１４に挿通することによって行うことができ、ケーブルホルダ１の装置本体９からの係止解除は、係止用通孔１３，１４に挿通されラチェット機構を構成している係止用通孔１３，１４に対してラチェット爪１１，１２が離隔して解除するように押圧することによって行うことができるので、道具を全く必要とせず、ユーザーは極めて簡便に行うことが可能である。
ケーブルホルダ１は、上述したようにポリ塩化ビニル樹脂、ナイロン樹脂で作られていることにより、通常の使用ではケーブル６やプラグ８等を傷付けることは考えられず、ケーブルホルダ１をケーブル６に装着して使用することにより短絡や漏電が生じるとということはない。
【００２６】
尚、ケーブルホルダ１の材料、ケーブルホルダ１のサイズ、スリット５の幅と長さ、ラチェット爪１１，１２の大きさとピッチ等は、実際の使用の形態等に基づいて適宜設定するのが望ましい。
又、ケーブルホルダ１ではラチェット爪１１，１２が係止部３，４の同じ側の一つの面にのみ設けられているが、半ピッチずつズラして互いに背向する二つの面にラチェット爪１１，１２を設ける構成であってもよい。
【００２７】
斯かる構成によって、ケーブルホルダ１の係止部３，４を係止用通孔１３，１４にそれぞれ係止させている際に、不意にケーブルホルダ１の保持板部２に外部から力が加わって変形し、この変形の力が係止部３，４に伝わり、係止用通孔１３，１４と係止部３，４のラチェット爪１１，１２いよるラチェット機構の構成が解除されても、ラチェット機構を構成していたラチェット爪の背面に設けられているラチェット爪が係止用通孔１３，１４と新たなラチェット機構を構成するので、係止部３，４が係止用通孔１３，１４から容易に外れるという事態は生じない。
【００２８】
以下において、この発明の他の実施の形態を説明する。
ケーブルホルダ１ａは、図４に示すように、帯状に伸びる保持板部２ａと、保持板部２ａの伸長方向の伸びる切り込み５ａと、保持板部２ａの両端に配設された係止部３ａ，４ａと、係止部３ａ，４ａにそれぞれ設けられたラチェット爪１１ａ，１２ａを備えて構成されている。
ケーブルホルダ１ａは、ケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００２９】
ケーブルホルダ１ｂは、図５に示すように、帯状に伸びる保持板部２ｂと、保持板部２ｂの両端に配設された係止部３ｂ，４ｂと、保持板部２ｂの伸長方向の伸びるスリット５ｂと、係止部３ｂ，４ｂにそれぞれ設けられたラチェット爪１１ｂ，１２ｂを備えて構成されている。
ケーブルホルダ１ｂは、ケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００３０】
ケーブルホルダ１ｃは、図６に示すように、帯状に伸びる保持板部２ｃと、保持板部２の両端に配設された係止部３ｃ，４ｃと、保持板部２ｃの伸長方向の伸びる切り込み５ｃと、スリット５ｃのほぼ中央に開設された通孔７ｃと、係止部３ｃ，４ｃにそれぞれ設けられたラチェット爪１１ｃ，１２ｃを備えて構成されている。
ケーブルホルダ１ｃは、ケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００３１】
ケーブルホルダ１ｄは、図７に示すように、帯状に伸びる保持板部２ｄと、保持板部２の両端に配設された係止部３ｄ，４ｄと、保持板部２ｄの縁部から中央方向に伸びる切り込み５ｄと、切り込み５ｄの先端で且つ保持板部２ｄのほぼ中央部に開設された通孔７ｄと、係止部３ｄ，４ｄにそれぞれ設けられたラチェット爪１１ｄ，１２ｄを備えて構成されている。
ケーブルホルダ１ｄは、保持板部２ｄであって切り込み５ｄを形成している二つの片部（図示省略）を開の状態にさせることによってケーブルを通孔７ｄに配置すること及び取り出すことが可能であり、このことによってケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００３２】
ケーブルホルダ１ｅは、図８に示すように、帯状に伸びる保持板部２ｅと、保持板部２の両端に配設された係止部３ｅ，４ｅと、保持板部２ｅの縁部から中央方向に伸びるスリット５ｅと、スリット５ｅの先端で且つ保持板部２ｅのほぼ中央部に開設された通孔７ｅと、係止部３ｅ，４ｅにそれぞれ設けられたラチェット爪１１ｅ，１２ｅを備えて構成されている。
ケーブルホルダ１ｅは、保持板部２ｅであってスリット５ｅを形成している二つの片部（図示省略）を開の状態にさせることによってケーブルを通孔７ｅに配置し或いは取り出し、このことによってケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００３３】
ケーブルホルダ１ｆは、図９に示すように、帯状に伸びる保持板部２ｆと、保持板部２の両端に配設された係止部３ｆ，４ｆと、保持板部２ｆのほぼ中央から放射線状に伸びる複数の切り込み５ｆと、保持板部２ｆのほぼ中央に開設された通孔７ｆと、係止部３ｆ，４ｆにそれぞれ設けられたラチェット爪１１ｆ，１２ｆを備えて構成されている。
ケーブルホルダ１ｆは、ケーブル６に対するケーブルホルダ１と同様に使用することが可能であり、又、装置本体９に対するケーブルホルダ１と同様に装置本体に係止及び係止解除が可能であり、よって、ケーブルホルター１とほぼ同様の効果を得ることが可能である。
【００３４】
尚、ケーブルホルダ１ｆは、切り込み５ｆの複数とは二以上を意味し、つまり、具体的には十文字以上の形状であることが挙げられるが、切り込みの５ｆの数はケーブルの挿通のし易さ、製造上の加工のし易さ等によって決定するのがよい。
又、切り込み５ｆをスリットに置き換えた構成も考えられ、更に、保持板部２ｆに通孔７ｆを備えていない構成も挙げられる。
【００３５】
上記で説明したケーブルホルダ１，１ａ，１ｂ，１ｃ，１ｄ，１ｅ及び１ｆはそれぞれ２個一組の係止部を備えて構成されているが、ケーブルに引っ張りの力が加わっても第一の接続用端子都と第二の接続用端子の接続状態が保持されるのであれば、１個の係止部を備えた構成でもよく、ケーブルに加わる引っ張りの力に対応させて３個以上の係止部を備えた構成であってもよい。
上記で説明したケーブルホルダ１，１ａ，１ｂ，１ｃ，１ｄ，１ｅ及び１ｆは、係止部と装置本体の側の係止はラチェット機構を構成することで行っているが、係止部はボールチェーンを備えた構成にし、且つ、装置本体の係止用通孔にＶ字形状部を形成して、前記ボールチェーンを前記Ｖ字形状部に掛け止めすることによって係止する構成も挙げられる。
【００３６】
上記で説明したケーブルホルダ１，１ａ，１ｂ，１ｃ，１ｄ，１ｅ及び１ｆは、スリット又は切り込みのいずれか一方を備えて構成されているが、挿通して保持させるべき対象のケーブルの断面の大きさ（径）や形状が特定されていない場合に対しては、保持板部にスリット及び切り込みを開設し、機能性の高い方つまり抜け止め機能がより高い方のスリット又は切り込みにケーブルを挿通させて使用可能とする構成も挙げられる。
【図面の簡単な説明】
【００３７】
【図１】この発明を実施するための最良の形態の構成を説明する全体の斜視図である。
【図２】図１に示す実施の最良の形態をケーブルに挿通して使用する前の構成を説明する斜視図である。
【図３】図１に示す実施の最良の形態をケーブルに挿通し、且つ、装置本体に係止させて使用する状態を示す斜視図である。
【図４】この発明の第二の実施の形態を示す図１相当図である。
【図５】この発明の第三の実施の形態を示す図１相当図である。
【図６】この発明の第四の実施の形態を示す図１相当図である。
【図７】この発明の第五の実施の形態を示す図１相当図である。
【図８】この発明の第六の実施の形態を示す図１相当図である。
【図９】この発明の第七の実施の形態を示す図１相当図である。
【符号の説明】
【００３８】
１，１ａ，１ｂ，１ｃ，１ｄ，１ｅ、１ｆ          ：  ケーブルホルダ
２，２ａ，２ｂ，２ｃ，２ｄ，２ｅ、２ｆ          ：  保持板部
３，３ａ，３ｂ，３ｃ，３ｄ，３ｅ、３ｆ          ：  係止部
４，４ａ，４ｂ，４ｃ，４ｄ，４ｅ、４ｆ          ：  係止部
５，５ｂ，５ｅ                                  ：  スリット
５ａ，５ｃ，５ｄ，５ｆ                          ：  切り込み
６                                              ：  ケーブル
７，７ｃ，７ｄ，７ｅ，７ｆ                      ：   通孔
８                                              ：  プラグ（第一の接続用端子）
９                                              ：  装置本体
１０                                            ：  コネクタ（第二の接続用端子）
１１，１１ａ，１１ｂ，１１ｃ，１１ｄ，１１ｅ、１１ｆ  ：  ラチェット爪
１２，１２ａ，１２ｂ，１２ｃ，１２ｄ，１２ｅ、１２ｆ  ：  ラチェット爪
１３                                            ：  係止用通孔
１４                                            ：  係止用通孔
【図１】
2009093950.tif 000003
【図２】
2009093950.tif 000004
【図３】
2009093950.tif 000005
【図４】
2009093950.tif 000006
【図５】
2009093950.tif 000007
【図６】
2009093950.tif 000008
【図７】
2009093950.tif 000009
【図８】
2009093950.tif 000010
【図９】
2009093950.tif 000011